(57)【要約】      （修正有）【課題】髪毛の水分を擦って吸水除去させ髪毛を傷めること無くよりスピーディーに髪毛の水分を除去し、且つ髪毛にうるおいを与えるようにした洗髪乾燥用手袋を提供する。【解決手段】吸水性に優れた繊維素材で形成される５指用袋部と、５指用袋部と一体的に形成された手のひら用袋部とで手袋本体を構成する。５指用袋部の内側面乃至は外側面に形成して突出した複数の共布襞からなる。【選択図】図１
0003154043.tif 000002
【実用新案登録請求の範囲】
【請求項１】
吸水性に優れた繊維素材で形成される５指用袋部と、この５指用袋部と一体的に形成された手のひら用袋部とで手袋本体を構成し、前記５指用袋部の内側面乃至は外側面に形成して突出した複数の共布襞とで成したことを特徴とした、洗髪乾燥用手袋。
【請求項２】
吸水性に優れた繊維素材で形成される５指用袋部と、この５指用袋部と一体的に形成された手のひら用袋部とで手袋本体と構成し、前記手のひら用袋部の内側面乃至は外側面に一体的に形成して突出した複数の共布襞とで成したことを特徴とした洗髪乾燥用手袋。
【請求項３】
吸水性に優れた繊維素材で形成される５指用袋部と、この５指用袋部と一体的に形成された手のひら用袋部とで手袋本体を構成し、前記５指用袋部の内側面乃至は外側面に形成して突出した複数のループとで成したことを特徴とした洗髪乾燥用手袋。
【請求項４】
吸水性に優れた繊維素材で形成される５指用袋部と、この５指用袋部と一体的に形成された手のひら用袋部とで手袋本体と構成し、前記手のひら用袋部の内側面乃至は外側面に一体的に形成して突出した複数のループとで成したことを特徴とした洗髪乾燥用手袋。
【請求項５】
前記５指用袋部乃至手のひらの袋部裁断縁が外側に露呈した状態で縫い合せて前記袋部裁断縁に襞を形成されたことを特徴とした請求項１〜４のいずれか１記載の洗髪乾燥用手袋。
【請求項６】
前記手袋本体は、タオルの左右両端に夫々設けられたことを特徴とした請求項１〜４のいずれか１記載の洗髪乾燥用手袋。
【考案の詳細な説明】
【技術分野】
【０００１】
本考案は洗髪後等、濡れ髪の水分を頭皮より有効に吸水乾燥させる様にした洗髪乾燥用手袋に関する。
【背景技術】
【０００２】
この種の洗髪用手袋では、タオル地を用いて５本指の指を挿入するタイプの手袋用ハンドタオル（特許文献１参照。）、更には親指と他の４指を挿入する様にしたタオルが知られている（特許文献２参照。）。
【先行技術文献】
【特許文献】
【０００３】
【特許文献１】特開平９−３１３３９７号公報
【特許文献２】実用新案登録３０３４７９０号公報
【考案の概要】
【考案が解決しようとする課題】
【０００４】
上記の特許文献１，２に示される先行技術は、何れも洗髪後の水分や雨などで濡れた毛髪の水分をその手袋の表面だけで拭き取るものであり、乾燥が速やかに行うことができない。
【課題を解決するための手段】
【０００５】
上記の課題を解決するために本考案は、吸性水に優れた繊維素材で形成される５指用袋部と、この５指用袋部と一体的に形成された手のひら用袋部とで手袋本体を構成し、前記５指用袋部の内側面乃至は外側面に形成して突出した複数の共布襞とで成したことを特徴としたものである。
【０００６】
更に本考案は、吸水性に優れた繊維素材で形成される５指用袋部と、この５指用袋部と一体的に形成された手のひら用袋部とで手袋本体と構成し、前記手のひら用袋部の内側面乃至は外側面に一体的に形成して突出した複数の共布襞とで成したことを特徴としたものである。
【０００７】
更に本考案は、吸水性に優れた繊維素材で形成される５指用袋部と、この５指用袋部と一体的に形成された手のひら用袋部とで手袋本体を構成し、前記５指用袋部の内側面乃至は外側面に形成して突出した複数のループとで成したことを特徴としたものである。
【０００８】
また本考案は、吸水性に優れた繊維素材で形成される５指用袋部と、この５指用袋部と一体的に形成された手のひら用袋部とで手袋本体と構成し、前記手のひら用袋部の内側面乃至は外側面に一体的に形成して突出した複数のループとで成したことを特徴としたものである。
【０００９】
また本考案は、５指用袋部乃至手のひらの袋部裁断縁が外側に露呈した状態で縫い合せて前記袋部裁断縁に襞を形成したことを特徴としたものである。
【００１０】
また本考案は、手袋本体は、タオルの左右両端に夫々設けられたことを特徴としたものである。
【考案の効果】
【００１１】
（１）請求項１、或いは請求項２により、５指用袋部と一体的に形成された手袋本体と５指用袋部に形成して突出した共布襞が濡れた髪に接することとなって、襞を有しないものに比しその共布襞の表面積分だけ毛髪の水分を効率良く吸収し、乾燥が速やかになされる。
また、所望により予め指用袋部或いは手のひら用手袋部に栄養クリーム、アミノ酸、タンパク質等の髪毛の栄養保護剤を添加させておけば、頭髪の乾燥と併せて同時に栄養保護剤の投与が可能となる。
【００１２】
（２）請求項３、或いは請求項４により、５指用袋部と一体的に形成された手袋本体と５指用袋部に形成して突出した共糸ループにて請求項１、請求項２と同様に濡れた髪の毛の水分を吸収乾燥させることができる。
【００１３】
（３）請求項５により、５指用袋部乃至、手の平袋部裁断縁外側の露呈部を縫い合せて形成された前記袋部裁断縁の襞により濡れた髪の毛の水分をより一層効率良く吸収乾燥させることができる。
【００１４】
（４）請求項６により、左右の手袋本体とタオルとが一体になっており、タオル使用時に手袋本体も伴い、両者相俟って効率良く毛髪の乾燥が行える。
【図面の簡単な説明】
【００１５】
【図１】本考案の実施例１に係る洗髪乾燥用手袋の基本形を示す正面図
【図２】同上の実施例２に係る正面図
【図３】同上の実施例３に係る正面図
【図４】同上の実施例４に係る正面図
【図５】図２の拡大部分斜視図
【図６】同上の断面図
【図７】図３の拡大断面図
【考案を実施するための最良の形態】
【００１６】
以下に本考案を実施の形態に基づいて、詳細に説明する。
図１は手袋本体１を示し、５指用袋部２と手のひら用袋部３との裁断縁Ｓが外側に露呈した状態で縫い合せている。
即ち、裁断縁Ｓには縫合線Ｐと裁断縁Ｓとの巾間は襞４が形成されることとなる。
而して、この手袋本体１は吸水性に優れた繊維素材にて縫製され、図２に示す如く、５指用袋部２と手のひら用手袋部３とにはそれらの共布にて複数の共布襞５を縫い付け、一体的に形成して構成されており、手袋本体１の使用操作に伴うこととなる。
【００１７】
図３は他の実施例であって、手袋本体１の全体となる５指用袋部２と手のひら用袋部３の内側面乃至は外側面に一体的に形成して突出した複数のループ６を形成している。勿論、５指用袋部２、或いは手のひら用袋部３の何れか一方の内側面乃至は外側面に形成すれば足りる。また、この複数のループ６及び共布襞５は５指用袋部２と手のひら袋部３との共布２ａ、３ａの別裁断で立体的に縫い付けている。勿論、共布２ａ、３ａ、縫製共糸は手袋本体１と共に、吸水性に優れた繊維素材使用する。
【００１８】
図４は、手袋本体１をタオル７の左右両端に夫々備えており、このタオル７も手袋本体１と同様に吸水性に優れた繊維素材にて縫製されることが望ましい。
【００１９】
次に本考案に係る洗髪乾燥用手袋の使用について説明すると、洗髪後、左右手をそれぞれ手袋本体１に挿入して毛髪を摩する。毛髪の水分は５指用袋部２或いは手のひら用袋部３に形成された多数の共布襞５、或いはループ６が濡れた髪に接することとなって、ループを有しないものに比しその共布襞５、或いはループ６の表面積分だけ毛髪の水分を効率良く吸収し、乾燥が速やかになされる。また、手袋本体１の裁断縁Ｓの襞４も水分の吸収作用を果たし、一層効率よく毛髪の乾燥が行える。勿論、予め指用袋部２或いは手のひら用袋部３に栄養クリーム、アミノ酸、タンパク質等の毛髪の栄養保護剤を添加させておけば、毛髪の乾燥と併せて同時に栄養保護剤の投与が可能となる。
【符号の説明】
【００２０】
１  手袋本体
２  ５指用袋部
３  手のひら用袋部
４  襞
５  共布襞
６  ループ
７  タオル
Ｓ  裁断縁
【図１】
0003154043.tif 000003
【図２】
0003154043.tif 000004
【図３】
0003154043.tif 000005
【図４】
0003154043.tif 000006
【図５】
0003154043.tif 000007
【図６】
0003154043.tif 000008
【図７】
0003154043.tif 000009
【手続補正書】
【提出日】平成21年6月10日(2009.6.10)
【手続補正１】
【補正対象書類名】実用新案登録請求の範囲
【補正対象項目名】請求項２
【補正方法】変更
【補正の内容】
【請求項２】
吸水性にすぐれた繊維素材で形成される５指用袋部と、この５指用袋部と一体的に形成された手のひら用袋部とで手袋本体を構成し、前記手のひら用袋部の内側面乃至は外側面に一体的に形成して突出した複数の共布壁とで成したことを特徴とした洗髪乾燥用手袋。
【手続補正２】
【補正対象書類名】実用新案登録請求の範囲
【補正対象項目名】請求項４
【補正方法】変更
【補正の内容】
【請求項４】
吸水性にすぐれた繊維素材で形成される５指用袋部と、この５指用袋部と一体的に形成された手のひら用袋部とで手袋本体を構成し、前記手のひら用袋部の内側面乃至は外側面に一体的に形成して突出した複数のループとで成したことを特徴とした洗髪乾燥用手袋。
【手続補正３】
【補正対象書類名】実用新案登録請求の範囲
【補正対象項目名】請求項５
【補正方法】変更
【補正の内容】
【請求項５】
前記５指用袋部乃至手のひらの袋部裁断縁が外側に露呈した状態で縫い合わせて前記袋部裁断縁に壁を形成されたことを特徴とした請求項１〜４のいずれか１記載の洗髪乾燥用手袋。
【手続補正４】
【補正対象書類名】実用新案登録請求の範囲
【補正対象項目名】請求項６
【補正方法】変更
【補正の内容】
【請求項６】
請求項１〜4のいずれか１記載の洗髪乾燥用手袋を、タオルの左右両端に夫々設けたことを特徴とする洗髪乾燥用タオル。
【手続補正書】
【提出日】平成21年7月28日(2009.7.28)
【手続補正１】
【補正対象書類名】実用新案登録請求の範囲
【補正対象項目名】全文
【補正方法】変更
【補正の内容】
【実用新案登録請求の範囲】
【請求項１】
吸水性に優れた繊維素材で形成される５指用袋部と、この５指用袋部と一体的に形成された手のひら用袋部とで手袋本体を構成し、前記５指用袋部の内側面乃至は外側面に形成して突出した複数の共布襞とで成したことを特徴とした、洗髪乾燥用手袋。
【請求項２】
吸水性にすぐれた繊維素材で形成される５指用袋部と、この５指用袋部と一体的に形成された手のひら用袋部とで手袋本体を構成し、前記手のひら用袋部の内側面乃至は外側面に一体的に形成して突出した複数の共布壁とで成したことを特徴とした洗髪乾燥用手袋。
【請求項３】
吸水性に優れた繊維素材で形成される５指用袋部と、この５指用袋部と一体的に形成された手のひら用袋部とで手袋本体を構成し、前記５指用袋部の内側面乃至は外側面に形成して突出した複数のループとで成したことを特徴とした洗髪乾燥用手袋。
【請求項４】
吸水性にすぐれた繊維素材で形成される５指用袋部と、この５指用袋部と一体的に形成された手のひら用袋部とで手袋本体を構成し、前記手のひら用袋部の内側面乃至は外側面に一体的に形成して突出した複数のループとで成したことを特徴とした洗髪乾燥用手袋。
【請求項５】
前記５指用袋部乃至手のひら用袋部裁断縁が外側に露呈した状態で縫い合わせて前記袋部裁断縁に壁を形成されたことを特徴と
した請求項１〜４のいずれか１記載の洗髪乾燥用手袋。
【請求項６】
請求項１〜4のいずれか１記載の洗髪乾燥用手袋を、タオルの左右両端に夫々設けたことを特徴とする洗髪乾燥用タオル。